(57)【要約】【課題】皮膚表面の老廃物を効率的に除去しつつ、還元能を発揮してアンチエイジング効果が期待できる皮膚洗浄ブラシを提供する。【解決手段】泡立てた毛先を皮膚に接触させて皮膚表面の洗浄を行うブラシにおいて、毛材が植設された植毛部と、水濡により水素を生成する水素発生体が収容された水素生成部と、を備え、前記植毛部と前記水素生成部との間に、前記水素生成部にて生成した水素を前記植毛部の毛材基部へ導く連通孔を形成した。【選択図】図７
0003207517.tif 000002
【実用新案登録請求の範囲】
【請求項１】
泡立てた毛先を皮膚に接触させて皮膚表面の洗浄を行うブラシにおいて、
毛材が植設された植毛部と、
水濡により水素を生成する水素発生体が収容された水素生成部と、を備え、
前記植毛部と前記水素生成部との間に、前記水素生成部にて生成した水素を前記植毛部の毛材基部へ導く連通孔を形成したことを特徴とする皮膚洗浄ブラシ。
【請求項２】
前記毛材は複数本の毛を束ねた毛束として前記植毛部に植設され、同植毛部には、前記毛束を植設した有毛領域と、前記毛束を植設していない無毛領域とが形成されており、
前記連通孔は、前記有毛領域に植設された毛束の集合端面に通じる端面連通孔と、毛束近傍の前記無毛領域に通じる近傍連通孔とより構成したことを特徴とする請求項１に記載の皮膚洗浄ブラシ。
【請求項３】
前記水素発生体はイオン化傾向の異なる少なくとも二種の遷移金属を含み、水濡れにより生じる異種金属間の電位差で水素を発生する焼結体であることを特徴とする請求項１又は請求項２に記載の皮膚洗浄ブラシ。
【請求項４】
前記植毛部の中央に配置した中央電極と、前記植毛部の外縁に配置した外縁電極と、を備え、前記中央電極及び前記外縁電極は、前記水素発生体に電気的に接続可能に構成したことを特徴とする請求項３に記載の皮膚洗浄ブラシ。
【請求項５】
前記有毛領域と前記無毛領域とが前記中央電極を中心とする同心円状に配置されていることを特徴とする請求項４に記載の皮膚洗浄ブラシ。
【請求項６】
前記水素発生体は焼結粒の集合体であって、前記水素生成部は、その内部にて前記焼結粒を移動可能としていることを特徴とする請求項４又は請求項５に記載の皮膚洗浄ブラシ。
【考案の詳細な説明】
【技術分野】
【０００１】
本考案は、皮膚洗浄ブラシに関する。
【背景技術】
【０００２】
近年、皮膚科学のめざましい発展に伴って美容意識が高まる中、さまざまな機能性を有する化粧品や化粧用具がこれまでにもまして数多く提案されている。
【０００３】
しかしながら、美容の基礎は皮膚が清浄な状態にあることが前提であって理想であり、皮膚表面に日々蓄積する汚れや老廃物を効率良く除去することが、美しく健康的な皮膚を維持する上で極めて重要である。
【０００４】
そこで従来より、皮膚表面の老廃物等を効率的に除去すべく、様々な洗浄具が提案されている。
【０００５】
なかでも、ブラシ型の洗浄具は、十分な洗浄効果が得られるのは勿論のこと、毛先による皮膚のマッサージ効果も期待でき、しかも手軽であることから、広く使用されている（例えば、特許文献１参照。）
【先行技術文献】
【特許文献】
【０００６】
【特許文献１】特開２００７−２３６７１５号公報
【考案の概要】
【考案が解決しようとする課題】
【０００７】
ところが、上記従来のブラシ型の洗浄具は、皮膚表面の汚れ落ちについては一定の解決を見ているものの、アンチエイジングの観点からは未だ十分な効果を発揮できるとは言い難いものであった。
【０００８】
すなわち、加齢と共に生じる皺やたるみは、皮膚を構成する細胞内の酸化ストレスが原因の一つと考えられており、従来のブラシ型洗浄具にあってはレドックス効果を得ることができず、皮膚老化の予防や改善を期待することはできなかった。
【０００９】
本発明は、斯かる事情に鑑みてなされたものであって、皮膚表面の老廃物を効率的に除去しつつ、還元能を発揮してアンチエイジング効果が期待できる皮膚洗浄ブラシを提供する。
【課題を解決するための手段】
【００１０】
上記従来の課題を解決するために、本発明に係る皮膚洗浄ブラシでは、（１）泡立てた毛先を皮膚に接触させて皮膚表面の洗浄を行うブラシにおいて、毛材が植設された植毛部と、水濡により水素を生成する水素発生体が収容された水素生成部と、を備え、前記植毛部と前記水素生成部との間に、前記水素生成部にて生成した水素を前記植毛部の毛材基部へ導く連通孔を形成した。
【００１１】
また、本発明に係る皮膚洗浄ブラシでは、以下の点にも特徴を有する。
（２）前記毛材は複数本の毛を束ねた毛束として前記植毛部に植設され、同植毛部には、前記毛束を植設した有毛領域と、前記毛束を植設していない無毛領域とが形成されており、前記連通孔は、前記有毛領域に植設された毛束の集合端面に通じる端面連通孔と、毛束近傍の前記無毛領域に通じる近傍連通孔とより構成したこと。
（３）前記水素発生体はイオン化傾向の異なる少なくとも二種の遷移金属を含み、水濡れにより生じる異種金属間の電位差で水素を発生する焼結体であること。
（４）前記植毛部の中央に配置した中央電極と、前記植毛部の外縁に配置した外縁電極と、を備え、前記中央電極及び前記外縁電極は、前記水素発生体に電気的に接続可能に構成したこと。
（５）前記有毛領域と前記無毛領域とが前記中央電極を中心とする同心円状に配置されていること。
（６）前記水素発生体は焼結粒の集合体であって、前記水素生成部は、その内部にて前記焼結粒を移動可能としていること。
【考案の効果】
【００１２】
本発明に係る皮膚洗浄ブラシでは、泡立てた毛先を皮膚に接触させて皮膚表面の洗浄を行うブラシにおいて、毛材が植設された植毛部と、水濡により水素を生成する水素発生体が収容された水素生成部と、を備え、前記植毛部と前記水素生成部との間に、前記水素生成部にて生成した水素を前記植毛部の毛材基部へ導く連通孔を形成したため、皮膚表面の老廃物を効率的に除去しつつ、還元能を発揮してアンチエイジング効果が期待できる皮膚洗浄ブラシを提供することができる。
【００１３】
また、前記毛材は複数本の毛を束ねた毛束として前記植毛部に植設され、同植毛部には、前記毛束を植設した有毛領域と、前記毛束を植設していない無毛領域とが形成されており、前記連通孔は、前記有毛領域に植設された毛束の集合端面に通じる端面連通孔と、毛束近傍の前記無毛領域に通じる近傍連通孔とより構成すれば、水素生成部内に存在する水分と発生した水素とにより生成する水素水が端面連通孔を通じて植毛部に至り、集合端面を介して毛細管現象により毛束の中途まで浸潤することとなり、水素水により形成された泡を生成することができる。また、近傍連通孔からは気体状の水素が拡散することにより、泡に水素を内包させることができ、水素を皮膚に効率的に到達させることができる。
【００１４】
また、前記水素発生体はイオン化傾向の異なる少なくとも二種の遷移金属を含み、水濡れにより生じる異種金属間の電位差で水素を発生する焼結体であることとすれば、化学的に水素を発生させる場合に比して副生成物の生成を抑制することができ、皮膚洗浄ブラシ自体の副生成物による汚損を防止することができる。
【００１５】
また、前記植毛部の中央に配置した中央電極と、前記植毛部の外縁に配置した外縁電極と、を備え、前記中央電極及び前記外縁電極は、前記水素発生体に電気的に接続可能に構成すれば、水素発生体にて生じた電位差を植毛部に植設した毛材や泡に反映させることができ、微弱な電流を皮膚に流して皮膚の活性化を促すことができる。
【００１６】
また、前記有毛領域と前記無毛領域とを前記中央電極を中心とする同心円状に配置すれば、毛束の根元近傍における短絡を回避しつつ、毛束先端近傍において中央電極から外縁電極にかけて略均一な電位勾配を形成することができ、より効率的な皮膚の活性化を促すことができる。
【００１７】
また、前記水素発生体は焼結粒の集合体であって、前記水素生成部は、その内部にて前記焼結粒を移動可能とすれば、皮膚洗浄の際に本願ブラシを動かすことで、一つ一つがそれぞれ電位発生体として機能する焼結粒が水素生成部内でランダムに転動することとなり、前記中央電極と外縁電極との間に経時的にランダムな電位差を生じさせることができる。それゆえ、この電位差のランダムな変動により、変動しない一定電圧を付与する場合に比して、皮膚の深部に適度な刺激を与え、また、微弱電流による微細な運動を惹起させることができ、皮膚の活性化を更に促すことができる。
【図面の簡単な説明】
【００１８】
【図１】本実施形態に係る皮膚洗浄ブラシの外観を示す説明図である。
【図２】皮膚洗浄ブラシの構成を示す分解斜視図である。
【図３】セラミックボールカートリッジの構成を示す分解斜視図である。
【図４】セラミックボールカートリッジの構成を示す断面図である。
【図５】洗浄ブラシ本体の構成を示す分解斜視図である。
【図６】皮膚洗浄ブラシの植毛部を示す説明図である。
【図７】皮膚洗浄ブラシの構造を示す断面図である。
【考案を実施するための形態】
【００１９】
本考案は、泡立てた毛先を皮膚に接触させて皮膚表面の洗浄を行うブラシを提供するものである。
【００２０】
特に、本実施形態に係る皮膚洗浄ブラシに特徴的には、毛材が植設された植毛部と、水濡により水素を生成する水素発生体が収容された水素生成部と、を備え、前記植毛部と前記水素生成部との間に、前記水素生成部にて生成した水素を前記植毛部の毛材基部へ導く連通孔を形成している。
【００２１】
従って、皮膚表面の老廃物を効率的に除去しつつも、水素発生体にて発生させた水素に由来する還元能を発揮させて、アンチエイジング効果が期待できる皮膚洗浄ブラシを提供することができる。
【００２２】
以下、本実施形態に係る皮膚洗浄ブラシについて、図面を参照しながら具体的に説明する。
【００２３】
図１は、本実施形態に係る皮膚洗浄ブラシＡの外観を示した斜視図である。なお、以下において皮膚洗浄ブラシＡが有する毛束は説明の便宜上単に円筒として図示するが、実際は、肌触りの良好な極細毛を集合させて形成している。
【００２４】
皮膚洗浄ブラシＡは、図１（ａ）及び図１（ｂ）に示すように、外観視略偏平卵形とした筐体１０の上部に半球ドーム状の蓋部１１を備え、また、筐体１０の下部には複数の毛束１２ａにより構成されるブラシ部１２を備えるものであり、使用時において使用者の手の平内に違和感なく収まる形状としている。なお、符号１４で示す穴は、皮膚洗浄ブラシＡを所定のフック等に吊り下げるための紐などを挿通させる挿通孔である。
【００２５】
蓋部１１には、図１（ａ）に示すように、注水孔１１ａが形成されており、筐体１０の内部に注水可能としている。また、この注水孔１１ａは、蓋部１１を操作することにより開閉可能としており、図１（ｂ）に示すように閉鎖状態として使用に供される。なお、この蓋部１１や注水孔１１ａの構成については、追って詳説する。
【００２６】
また、図２に示すように、蓋部１１の下方に位置する筐体１０の内部には、カートリッジ収容空間１５が形成されており、同カートリッジ収容空間１５には、セラミックボールカートリッジ１３が着脱自在に収容されている。
【００２７】
このセラミックボールカートリッジ１３は、水素生成部として機能するものであり、水濡により水素を生成する水素発生体としての複数のセラミックボール１６が収容されている。
【００２８】
具体的には、図３に示すようにセラミックボールカートリッジ１３は、上部カバー１７と、流入水誘導体１８と、セラミックボール１６と、複数の部材を組み合わせることで形成される底部プレート１９とで構成しており、上部カバー１７の底部開口を底部プレート１９により閉蓋することで形成される内部空間に多数のセラミックボール１６を収容することで形成している。
【００２９】
上部カバー１７は、天面１７ａを備えた略円筒状の部材である。天面１７ａの略中央部には反応水流入部１７ｂが上方へ向けて突設されており、内部に収容したセラミックボール１６を濡らすための反応水を流入可能としている。
【００３０】
また、天面１７ａの周縁部は立上げ状として周壁１７ｃを形成しており、使用者により蓋部１１の注水孔１１ａを介して注入された反応水が天面１７ａ上に溜まり、反応水流入部１７ｂの周面に形成した流入口１７ｄへ円滑に流れるよう構成している。
【００３１】
流入水誘導体１８は、図４に示すように、流入口１７ｄより流入した反応水（白抜きの矢印で示す）を、内部に収容しているセラミックボール１６に対して略均等に分配されるよう誘導するための部材である。また、この流入水誘導体１８は、セラミックボール１６が流入口１７ｄを介してセラミックボールカートリッジ１３の外へこぼれ出てしまうことを防止するための役割も有している。
【００３２】
図３の説明に戻り、セラミックボール１６は、イオン化傾向の異なる少なくとも二種の遷移金属を含んだ焼結粒であり、反応水と接触して水濡れが起こることにより異種金属間に電位差が生じて水素を生成する。すなわち、この複数のセラミックボール１６は、水素発生部内に収容された水素発生体として機能する。また、後に説明するが、セラミックボール１６は、電位差を生じさせるための電位差生成体としても機能することとなる。
【００３３】
セラミックボール１６は、セラミックボールカートリッジ１３の内部空間において、若干の隙間が生じるよう充填されている。換言すれば、セラミックボール１６は、セラミックボールカートリッジ１３内において移動可能な程度の量が収容されている。
【００３４】
底部プレート１９は、カートリッジ電極環２０と、メッシュプレート２１と、中央閉塞体２２とが同心円状に嵌め合うことで構成される（図４参照）。
【００３５】
カートリッジ電極環２０は、図３に示すように、金属又は金属メッキを施した樹脂により構成される環状の部材であり、電位差が発生している状態（水濡れしている状態）のセラミックボール１６と直接接触したり、又は水を介してセラミックボール１６と導通することにより、セラミックボール１６が有する電位を前述のブラシ部１２側へ伝えるための電極部として機能する。
【００３６】
また、カートリッジ電極環２０の側壁２０ａの外面には、半径方向外方へ凸状の嵌合凸部２０ｂが周面に沿って形成されている。この嵌合凸部２０ｂは、図４に示すように底部プレート１９を上部カバー１７と結合させた際に、上部カバー１７の内周面に形成した凹部１７ｅと嵌合することにより、上部カバー１７から底部プレート１９が脱落することを防止する役割を有している。なお、説明の便宜上、図４においてセラミックボール１６は、図示を省略している。
【００３７】
メッシュプレート２１は、中央に開口を有する平面視略ドーナツ状の平板であり、表裏貫通する導出孔２１ａが複数穿設されている。この導出孔２１ａは、セラミックボール１６にて発生した水素をセラミックボールカートリッジ１３の外部へ導出したり、セラミックボール１６にて発生した水素の一部が反応水に溶存することで生成される水素水を滲出させるための孔である。また、同導出孔２１ａは、流入口１７ｄを介して流入した反応水のうち余剰な水分を排出する役割も有している。
【００３８】
中央閉塞体２２は、メッシュプレート２１の中央部開口を閉塞して、収容されているセラミックボール１６が、セラミックボールカートリッジ１３の外へ逸脱してしまうことを防止するための部材である。
【００３９】
また、図３に示すように、中央閉塞体２２の周縁の一部には切欠部２２ａを形成している。この切欠部２２ａは、メッシュプレート２１との嵌め合い状態において、後述する中央電極部３３ａの中央極突片３３ｃを露出させるための電極露出孔２２ｂ（図４参照）を形成する。
【００４０】
次に、本実施形態に係る皮膚洗浄ブラシＡのうち、セラミックボールカートリッジ１３を除いた本体部分の構成について説明する。図５は、洗浄ブラシ本体３０の構成を示した分解斜視図である。
【００４１】
皮膚洗浄ブラシＡは、上述したセラミックボールカートリッジ１３と、同セラミックボールカートリッジ１３を収容する洗浄ブラシ本体３０とにより構成されるものであり、図５に示すように洗浄ブラシ本体３０は、蓋部１１と、筐体１０と、収容カップ３１と、外縁電極体３２と、中央電極体３３とで構成している。
【００４２】
蓋部１１は、筐体１０に対して結合される内蓋体３４と、同内蓋体３４の上方において回動自在に配設される外蓋体３５とで構成している。
【００４３】
内蓋体３４は、筐体１０の大孔部１０ａの閉蓋を主な役割とする部材であり、略半球ドーム状の外観視を有する。
【００４４】
内蓋体３４の周縁部下方には、後述の筐体１０の大孔部１０ａに形成された内方フランジ１０ｂと係合することで所謂バイオネットロックを構成する係止片３４ａが複数箇所（本実施形態においては３箇所）形成されている。
【００４５】
すなわち、内蓋体３４は、筐体１０に対して着脱自在としており、内蓋体３４を大孔部１０ａの上部開口に配置して所定の周方向へ回動させることにより、内蓋体３４は筐体１０に保持された状態でロックされ、筐体１０内部に収容したセラミックボールカートリッジ１３が上部開口から容易に脱落しないようにしている。
【００４６】
また、例えばセラミックボールカートリッジ１３を交換する際には、筐体１０に対してロック状態にある内蓋体３４を、ロックするときとは逆の周方向へ回動させることによりロックを解除し、筐体１０から内蓋体３４が取り外して上部開口を開放することで交換を行う。
【００４７】
また、内蓋体３４の周縁の一部には、回動つまみ３４ｂを半径方向外方へ向けて突設している。この回動つまみ３４ｂは、筐体１０に対して内蓋体３４を周方向へ回動させる際に使用者が指先などを当接させるための部位である。
【００４８】
また、内蓋体３４のドーム状部分には、平面視において中心部を切り欠いた略扇形の内蓋孔３４ｃが形成されている。この内蓋孔３４ｃは、皮膚洗浄ブラシＡの使用の際に使用者が注水するための孔である。
【００４９】
また、内蓋体３４のドーム状頂部には、外蓋体取付孔３４ｄが穿設されており、内蓋体３４に対して外蓋体３５を回動自在に取付可能としている。
【００５０】
外蓋体３５は、内蓋体３４に重畳可能な半球ドーム状の外観を有する部材であり、回動させることで内蓋体３４に形成した内蓋孔３４ｃの開放・閉蓋を行うための部材である。
【００５１】
外蓋体３５の頂部裏面側には、内蓋体３４の外蓋体取付孔３４ｄに挿通可能な爪付軸体３５ａが配設されている。この爪付軸体３５ａの先端部には外蓋体取付孔３４ｄからの容易な脱落を防止する返し爪３５ｄが形成されており、内蓋体３４に対して外蓋体３５を重畳させて組み合わせることにより、爪付軸体３５ａが外蓋体取付孔３４ｄに挿通されると共に係止爪により係止され、内蓋体３４に対する外蓋体３５の周方向の動きは許容しつつも、爪付軸体３５ａの軸線離脱方向への動きは規制されることとなる。
【００５２】
また、外蓋体３５のドーム状部分には、前述の内蓋体３４の内蓋孔３４ｃと略同形状の外蓋孔３５ｂが形成されている。この外蓋孔３５ｂは、外蓋体３５を内蓋体３４に対して回動させて内蓋孔３４ｃの形成位置と一致させることにより注水孔１１ａを形成するための孔である。
【００５３】
すなわち、内蓋体３４の内蓋孔３４ｃと外蓋体３５の外蓋孔３５ｂとを一致させることで注水孔１１ａが形成され、使用者は皮膚洗浄ブラシＡ内に反応水を注水することが可能となる。また、注水後、例えば使用時等にあっては、注水孔１１ａが形成されている状態において、外蓋体３５のみを内蓋体３４に対して回動させることにより、外蓋体３５のドーム状部分により内蓋孔３４ｃが覆われて閉蓋されることとなる。
【００５４】
また、外蓋体３５の上面縁部近傍には、滑り止め条３５ｃを放射状に複数形成しており、使用者が外蓋体３５を回動させるにあたっての手指の滑りを防止している。
【００５５】
筐体１０は前述したように、外観視略偏平卵型の形状を有する部材であり、表裏貫通する大孔部１０ａが形成されている。この大孔部１０ａは、次に述べる収容カップ３１が装着されることにより、カートリッジ収容空間１５が形成される部位である。
【００５６】
また大孔部１０ａの内周面には、内方フランジ１０ｂが形成されており、内蓋体３４の係止片３４ａと係合してバイオネットロック構造が構築されるよう構成している。
【００５７】
収容カップ３１は、有底略筒状のカップ本体３１ａと、同カップ本体３１ａの外底面に植設された多数の毛束１２ａとで構成しており、毛束１２ａが植設された外底面を植毛部４０としてブラシ部１２が構築されている。
【００５８】
カップ本体３１ａは、底部に表裏貫通する複数の貫通孔３１ｂが穿設されている。この貫通孔３１ｂは、水素生成部としてのセラミックボールカートリッジ１３にて生成された水素や水素水をブラシ部１２の毛材基部へ導く連通孔として機能する孔である。
【００５９】
また、カップ本体３１ａの底部中央には、中央電極体露出孔３１ｃが形成されている。この中央電極体露出孔３１ｃは、収容カップ３１と中央電極体３３とを組み合わせた際に、中央電極体３３の一部（中央極突片３３ｃ）をカップ本体３１ａ内に臨ませるための孔である。
【００６０】
また、カップ本体３１ａの周壁部には、その一部を低壁肉薄状としてなる外縁電極装着部３１ｄが複数箇所（本実施形態では３箇所）形成されている。
【００６１】
この外縁電極装着部３１ｄは、後述する外縁電極体３２の外縁極突片３２ｂが係止装着される部位であると共に、同外縁電極装着部３１ｄの壁を跨ぐように配設された導通弾性体３１ｅを介して、セラミックボールカートリッジ１３のカートリッジ電極環２０の電位を外縁電極体３２へ伝えるための部位として機能する。
【００６２】
また、カップ本体３１ａの裏面には、複数の植毛孔３１ｆ（図６参照）が穿設されており、同植毛孔３１ｆに毛束１２ａを圧入することで毛材が植設され、植毛部及びブラシ部１２が構築されている。
【００６３】
外縁電極体３２は、外観視略リング状の部材であり、金属又は金属メッキを施した樹脂により構成されている。
【００６４】
外縁電極体３２は、環状のリング体３２ａを備えており、収容カップ３１と結合させることにより、植毛部周縁に外縁電極を構成するための部材である。
【００６５】
また、リング体３２ａの上面には、収容カップ３１の外縁電極装着部３１ｄと対応する位置に外縁極突片３２ｂが突設されている。この外縁極突片３２ｂは、収容カップ３１に外縁電極体３２を係止するための係止爪として機能すると共に、セラミックボールカートリッジ１３内に収容されたセラミックボール１６が有する電位差をカートリッジ電極環２０及び導通弾性体３１ｅを介してリング体３２ａに伝達するための部位として機能する。
【００６６】
中央電極体３３は、収容カップ３１の中央電極体露出孔３１ｃを閉塞する外観視略円柱状の中央電極部３３ａの裏面に毛束１２ａを植設することで構成しており、植毛部４０の中央の電極として機能する部位である。
【００６７】
中央電極部３３ａには、表裏貫通する複数の貫通孔３３ｂが穿設されている。この貫通孔３３ｂは、セラミックボールカートリッジ１３にて生成された水素や水素水をブラシ部１２の毛材基部へ導く連通孔として機能する孔である。
【００６８】
また、中央電極部３３ａの上部には、中央極突片３３ｃが上方へ向けて突設されている。この中央極突片３３ｃは、中央電極体３３を収容カップ３１の中央電極体露出孔３１ｃに装着した際に、中央電極体３３を収容カップ３１に係止するための係止片としての機能を果たすと共に、カートリッジ収容空間１５内に収容されたセラミックボールカートリッジ１３の底部に形成される電極露出孔２２ｂからセラミックボールカートリッジ１３内に露出して、セラミックボール１６が有する電位差を中央電極部３３ａに伝達するための役割も有している。
【００６９】
ここで、図６を参照しながら、皮膚洗浄ブラシＡの植毛部４０の構成について説明する。図６は皮膚洗浄ブラシＡを裏面側から見た状態を示す説明図である。なお、説明の便宜上、毛束１２ａは省略して示している。
【００７０】
図６に示すように植毛部４０は、筐体１０の大孔部１０ａを閉塞するように、中心部から外方にかけて、中央電極体３３と、収容カップ３１と外縁電極体３２とを同心円状に配置することで構成している。
【００７１】
また、収容カップ３１及び中央電極体３３には、複数の貫通孔３１ｂ,３３ｂが穿設されており、セラミックボールカートリッジ１３にて生成された水素や水素水が植毛部４０に満遍なく拡散するよう構成されている。
【００７２】
また、植毛部４０には、毛束１２ａが密に植設される有毛領域４１と、毛束１２ａが植設されていない環状の無毛領域４２とが形成されており、図６中に示すように、破線で囲んだ有毛領域４１と、網掛けで示す無毛領域４２とが、中央電極体３３を中心とする同心円状に配置されている。
【００７３】
また、有毛領域４１に形成されている植毛孔３１ｆや植毛孔３３ｆの位置には、貫通孔３１ｂ,３３ｂが重ねて形成されており、植毛孔３１ｆや植毛孔３３ｆに植設された毛束１２ａの集合端面に水素や水素水を供給可能としている。
【００７４】
そして、このような構成を備える皮膚洗浄ブラシＡについて使用状態を踏まえつつ包括的に説明すると、使用者はまず蓋部１１の滑り止め条３５ｃに指先をあてて外蓋体３５を回動させ、先に示した図１（ａ）の状態の如く外蓋孔３５ｂを内蓋体３４の内蓋孔３４ｃに一致させることで注水孔１１ａを形成し、ここから反応水を注入する。
【００７５】
注入された反応水は、図４にて白抜きの矢印で示したように、セラミックボールカートリッジ１３の上部である上部カバー１７の天面１７ａに貯留され、反応水流入部１７ｂの流入口１７ｄを介してセラミックボールカートリッジ１３内部に流入する。
【００７６】
セラミックボールカートリッジ１３内に流入した反応水は、セラミックボール１６と接触し、セラミックボール１６が濡れ状態となる。
【００７７】
水濡れ状態となったセラミックボール１６は、焼結体を構成する異種金属間に電位差が発生することで水の電気分解を行い水素を生成させる。また、水素の一部は反応水に溶け込むこととなり、水素水が生成する。
【００７８】
これら水素や水素水は、セラミックボールカートリッジ１３のメッシュプレート２１を介してカートリッジ収容空間１５内に滲出すると共に、図７に示すように収容カップ３１の貫通孔３１ｂや中央電極体３３の貫通孔３３ｂを介してブラシ部１２に至る。
【００７９】
そして、所定の洗浄料等によりブラシ部１２において気泡させれば、水素を豊富に含む泡を形成することができ、毛束１２ａによって皮膚表面の老廃物を効率的に除去可能であると共に、水素による還元能を発揮して皮膚に対しアンチエイジング効果を及ぼすことができる。
【００８０】
また、本実施形態に係る皮膚洗浄ブラシＡにおいて特徴的には、セラミックボール１６にて発生する電位差を皮膚の活性化に応用している点が挙げられる。特に、セラミックボールカートリッジ１３内には各々が電位発生体として機能するセラミックボール１６を複数収容して構成しており、所定のセラミックボール１６が有する電位と、他のセラミックボール１６が有する電位とは、セラミックボール１６同士の接触状態等により、それぞれ異なる電位を有する。付言すれば、セラミックボール１６の集合体を一つの水素発生体として見た場合、異なる位置に存在するセラミックボール１６間にも電位差が発生している。
【００８１】
この電位は、中央電極ルートと外縁電極ルートとの２つのルートで伝達されて、中央電極体３３と外縁電極体３２との間に電位差を生じさせ、毛材や泡を介して皮膚に伝達させることで活性化を促す。
【００８２】
より具体的に説明すると、水濡状態のセラミックボール１６の集合体の中央近傍にて発生した電位差は、まず第１のルートとして、電極露出孔２２ｂより露出する中央電極体３３の中央極突片３３ｃによって中央電極部３３ａに伝えられる。すなわち、上述した中央電極ルートにより中央電極体３３に電位が伝達される。なお、セラミックボール１６と中央極突片３３ｃとは接触することで導通していても良く、また、注入された水分等を介して間接的に導通していても良い。
【００８３】
一方、第２のルートとして、セラミックボールカートリッジ１３内部において水濡れ状態のセラミックボール１６は、その集合体の外側近傍においてカートリッジ電極環２０と接触しており、セラミックボール１６の集合体の外側近傍の電位がカートリッジ電極環２０に伝えられる。
【００８４】
カートリッジ電極環２０は、カートリッジ収容空間１５内において導通弾性体３１ｅを介して外縁電極体３２の外縁極突片３２ｂと導通しており、外縁電極体３２もまた、セラミックボール１６の外側近傍の電位と略同電位となる。
【００８５】
そして、皮膚洗浄ブラシＡの使用時において泡立てが行われたブラシ部１２では、中央電極体３３に植設されている毛束１２ａや毛束１２ａの毛細管現象により毛材表面に存在する水素水等により泡と導通する一方、外縁電極体３２もまた水分等により泡と導通し、皮膚に接触された泡を介して回路が形成されることにより、電位差やセラミックボール１６の起電力に応じた微弱電流（マイクロカレント）が皮膚に流れることとなって、皮膚の活性化が促されることとなる。
【００８６】
また、外縁電極体３２と中央電極体３３との間の電位差は、セラミックボールカートリッジ１３内に収容されているセラミックボール１６の濡れ具合や接触状態によって常に揺らいでおり、この電位差の揺らぎが皮膚に対して適度な刺激となり、皮膚が本来的に有する回復力を惹起して、肌の恒常性をより堅実なものとする。
【００８７】
しかも、セラミックボール１６は、セラミックボールカートリッジ１３内において移動可能としていることから、使用者が洗浄時に皮膚洗浄ブラシＡを動かすことでセラミックボール１６が移動することとなり、更に電位変化を顕著なものとすることができる。
【００８８】
また、外縁電極体３２は、使用者が筐体１０を把持した際に手指で触れることが可能な領域に設けられており、使用者が洗浄時に指先で外縁電極体３２に触れることにより人体がグランドとなり、中央電極体３３との間の電位差に更なる変化を与えることもできる。
【００８９】
また、植毛部４０には無毛領域４２を形成しているため、植毛部４０中央の有毛領域４１と、植毛部４０の外側近傍の有毛領域４１との間での電気的な短絡を抑制することができ、毛先に至るまで微弱電流を流すことができる。
【００９０】
上述してきたように、本実施形態に係る皮膚洗浄ブラシＡによれば、泡立てた毛先を皮膚に接触させて皮膚表面の洗浄を行うブラシにおいて、毛材が植設された植毛部と、水濡により水素を生成する水素発生体が収容された水素生成部と、を備え、前記植毛部と前記水素生成部との間に、前記水素生成部にて生成した水素を前記植毛部の毛材基部へ導く連通孔を形成したため、皮膚表面の老廃物を効率的に除去しつつ、還元能を発揮してアンチエイジング効果が期待できる皮膚洗浄ブラシを提供することができる。
【００９１】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【符号の説明】
【００９２】
１２  ブラシ部
１２ａ  毛束
１３  セラミックボールカートリッジ
１６  セラミックボール
２０  カートリッジ電極環
２１ａ  導出孔
３０  洗浄ブラシ本体
３１ｂ  貫通孔
３１ｆ  植毛孔
３２  外縁電極体
３３  中央電極体
３３ｂ  貫通孔
３３ｆ  植毛孔
４０  植毛部
４１  有毛領域
４２  無毛領域
Ａ  皮膚洗浄ブラシ
【図１】
0003207517.tif 000003
【図２】
0003207517.tif 000004
【図３】
0003207517.tif 000005
【図４】
0003207517.tif 000006
【図５】
0003207517.tif 000007
【図６】
0003207517.tif 000008
【図７】
0003207517.tif 000009
【手続補正書】
【提出日】平成28年9月13日(2016.9.13)
【手続補正１】
【補正対象書類名】実用新案登録請求の範囲
【補正対象項目名】請求項５
【補正方法】変更
【補正の内容】
【請求項５】
前記水素発生体はイオン化傾向の異なる少なくとも二種の遷移金属を含み、水濡れにより生じる異種金属間の電位差で水素を発生する焼結体であり、
前記植毛部の中央に配置した中央電極と、前記植毛部の外縁に配置した外縁電極と、を備え、前記中央電極及び前記外縁電極は、前記水素発生体に電気的に接続可能に構成し、
前記有毛領域と前記無毛領域とが前記中央電極を中心とする同心円状に配置されていることを特徴とする請求項２に記載の皮膚洗浄ブラシ。